(57)【要約】【課題】農作業等に用いる噴霧器であってバッテリを電源とする噴霧器であって、定格電圧３６Ｖのポンプモータを駆動源とする３６Ｖ仕様の噴霧器には、専用の３６Ｖ仕様のバッテリを取り付ける必要があった。本発明は、普及度の高い１８Ｖバッテリを取り付けて３６Ｖ仕様の噴霧器を利用できるようにすることで、バッテリコストの低減を図りつつ３６Ｖ仕様の噴霧器の使い勝手を高めてその普及を図ることを目的とする。【解決手段】１８Ｖ仕様の充電式バッテリ３０，３０を２個直列に取り付けて３６Ｖ仕様の噴霧器１を利用できるようにする。より普及度の高い電動工具用の１８Ｖバッテリ３０，３０を流用することによりバッテリコストを低減しつつ３６Ｖ仕様の噴霧器１を利用することができる。【選択図】図１
2014147356.tif 000002
【特許請求の範囲】
【請求項１】
薬剤等の噴霧液を貯蔵する貯蔵タンクと、該貯蔵タンク内の噴霧液を圧送する吐出ポンプと、該吐出ポンプで昇圧された噴霧液を噴出するための噴霧ノズルを備えた噴霧器であって、
前記吐出ポンプは、駆動源としての電動モータを備えており、該電動モータに給電するための電源として充電可能なバッテリを複数個取り付け可能な噴霧器。
【請求項２】
請求項１記載の噴霧器であって、前記複数個のバッテリに対応して複数のバッテリ取り付け部を備えた噴霧器。
【請求項３】
請求項２記載の噴霧器であって、前記複数個のバッテリとして、他の電動工具の電源に用いられるバッテリを取り付け可能な噴霧器。
【請求項４】
請求項３記載の噴霧器であって、前記バッテリ取り付け部は、前記バッテリをスライドさせて取り付け、取り外し可能とする一対のレール部と、前記バッテリを電気的に接続するための接続端子を備えた噴霧器。
【請求項５】
請求項２〜４の何れか１項に記載した噴霧器であって、前記バッテリ取り付け部は、前記バッテリをスライド不能に固定するためのロック係合部を備えた噴霧器。
【請求項６】
請求項１〜５の何れか１項に記載した噴霧器であって、前記複数個のバッテリを取り付けた状態で左右幅方向中心の基準線Ｊを中心にして左右幅方向それぞれに前記噴霧器の幅Ｗの２０パーセントの領域Ｅ内に重心Ｇが位置するように前記複数個のバッテリを取り付け可能な噴霧器。
【請求項７】
請求項６記載の噴霧器であって、前記貯蔵タンクの満杯状態と空の状態の双方で重心Ｇが前記領域Ｅ内に位置する噴霧器。
【請求項８】
請求項１〜７の何れか１項に記載した噴霧器であって、前記複数個のバッテリの取り付け方向が斜め下方に設定された噴霧器。
【請求項９】
請求項１〜８の何れか１項に記載した噴霧器であって、前記複数のバッテリを並列に取り付け可能な噴霧器。
【請求項１０】
請求項１〜９の何れか１項に記載した噴霧器であって、前記複数のバッテリが前記吐出ポンプとは壁部で区画されたバッテリ収容部内に取り付けられる噴霧器。
【請求項１１】
請求項１０記載の噴霧器であって、前記バッテリを取り外し方向に変位させるための付勢手段を備えた噴霧器。
【請求項１２】
請求項１〜１１の何れか１項に記載した噴霧器であって、前記バッテリをその取り付け方向の前面と後面を片手で挟んで保持しつつ取り付け、取り外し可能な噴霧器。
【発明の詳細な説明】
【技術分野】
【０００１】
本発明は、例えば園芸作業等において除草剤や消毒剤等の薬剤の噴霧（散布）等に用いられる噴霧器であって、充電により繰り返し使用できるバッテリを電源とする充電式の噴霧器に関する。
【背景技術】
【０００２】
この種の噴霧器に関する技術が下記の特許文献に開示されている。この噴霧器は、薬剤を貯留する薬剤タンクと、この薬剤タンク内の薬剤を圧送するための吐出ポンプを備えた駆動部と、駆動部から引き出されたホースの先端に取り付けられ、薬剤が実際に噴霧される噴霧ノズルを備えている。通常、薬剤タンクは駆動部に一体化されており、例えば使用者が背中に背負って噴霧作業を行う。噴霧ノズルは、使用者が手に持って噴霧作業を行う。駆動部の電源スイッチをオンすると吐出ポンプが起動して薬剤タンクから噴霧ノズルに向けて薬剤が圧送される。使用者が片手に把持した噴霧ノズルには手動操作式のノズル開閉バルブが取り付けられている。このノズル開閉バルブを開き操作すると、吐出口から薬剤が噴霧される。
近年、比較的大型の園芸工具である噴霧器についてもコードレス化が図られてきており、これに伴って電源としての充電式バッテリについても例えば出力電圧が３６Ｖの大型バッテリが普及してきている。
【先行技術文献】
【特許文献】
【０００３】
【特許文献１】特開２００５−１１８６７４号公報
【特許文献２】特開２００６−１５２０８号公報
【発明の概要】
【発明が解決しようとする課題】
【０００４】
しかしながら、例えば手持ち式の電動ねじ締め機等の電動工具用の充電式バッテリとしては、依然としてより小型の１４.４Ｖバッテリや１８Ｖバッテリが主流であり広く普及している。また、通常電動工具の使用者は予備バッテリを複数個用意して、これを作業と並行して充電しておくことにより、バッテリを取り替えながら一台の電動工具で長時間連続して作業できるようにしている。この点でも、大型の３６Ｖバッテリよりも小型の１８Ｖバッテリの方が広く普及している。
さらに、電動工具用のバッテリは同一電源仕様の別の電動工具間で使い回しできるようになっている。１８Ｖ仕様の電動工具の機種が豊富で広く普及していることもあって、１８Ｖバッテリの普及度は３６Ｖバッテリよりも大幅に高い。
そこで、本発明は、ねじ締め機等の電動工具のバッテリとして普及している充電式のバッテリを電源として利用できるようにすることで、噴霧器の利便性及び取り扱い性を一層高めることを目的とする。
【課題を解決するための手段】
【０００５】
第１の発明は、薬剤等の噴霧液を貯蔵する貯蔵タンクと、貯蔵タンク内の噴霧液を圧送する吐出ポンプと、吐出ポンプで昇圧された噴霧液を噴出するための噴霧ノズルを備えた噴霧器であって、吐出ポンプは、駆動源としての電動モータを備えており、電動モータに給電するための電源として充電可能なバッテリを複数個取り付け可能な噴霧器である。
第１の発明によれば、例えば３６Ｖ電源仕様の比較的大型の噴霧器について、より低電圧出力（例えば１８Ｖ出力）のバッテリを２個電源として使用することができる。
このことから、通常使用者がねじ締め機等の電動工具用の電源として所有するバッテリあるいはその予備バッテリとして複数個用意する等の点でより広く普及している低電圧出力のバッテリをより高電圧仕様の噴霧器の電源として用いることにより、新たな高圧バッテリを用意する必要がなくなるため、高電圧仕様の噴霧器の利便性及び取り扱い性を一層高めることができる。
第２の発明は、第１の発明において、複数個のバッテリに対応して複数のバッテリ取り付け部を備えた噴霧器である。
第２の発明によれば、各バッテリ取り付け部に１個ずつバッテリが取り付けられる。
第３の発明は、第２の発明において、複数個のバッテリとして、他の電動工具の電源に用いられるバッテリを取り付け可能な噴霧器である。
第３の発明によれば、他の電動工具に用いられるバッテリを使い回すことができる。これにより、既に所有するバッテリを有効活用できるとともに、バッテリを備えない単品状態で購入できることから噴霧器の低コスト化を図ることができる。
第４の発明は、第３の発明において、バッテリ取り付け部は、バッテリをスライドさせて取り付け、取り外し可能とする一対のレール部と、バッテリを電気的に接続するための接続端子を備えた噴霧器である。
第４の発明によれば、バッテリ取り付け部に対してバッテリをスライド（平行移動）させることにより、当該バッテリをバッテリ取り付け部に対して取り付け、取り外しすることができる。また、バッテリ取り付け部にバッテリをスライドさせて取り付けると、接続端子を経て当該バッテリがバッテリ取り付け部に対して電気的に接続される。
第５の発明は、第２〜第４の何れか一つの発明において、バッテリ取り付け部は、バッテリをスライド不能に固定するためのロック係合部を備えた噴霧器である。
第５の発明によれば、ロック係合部によりバッテリがバッテリ取り付け部に取り付けられた状態にロックされる。
第６の発明は、第１〜第５の何れか一つの発明において、複数個のバッテリを取り付けた状態で左右幅方向中心の基準線Ｊを中心にして左右幅方向それぞれに前記噴霧器の幅Ｗの２０パーセントの領域Ｅ内に重心Ｇが位置するように複数個のバッテリを取り付け可能な噴霧器である。
第６の発明によれば、複数個のバッテリを取り付けた状態で当該噴霧器の左右方向の重量バランスを概ね左右均等に取ることができ、これにより当該噴霧器の取り扱い性を高めることができる。当該噴霧器の幅方向について重心Ｇを基準線Ｊ上に位置させることが左右の重量バランスの観点から最も望ましいのであるが、現実には基準線Ｊに対して重心Ｇが左方又は右方にずれる場合があり、この場合であっても基準線Ｊから左方又は右方にそれぞれ幅Ｗの２０パーセントの範囲内に位置させることにより、実質的に左右の良好な重量バランスを確保することができる。
第７の発明は、第６の発明において、貯蔵タンクの満杯状態と空の状態の双方で重心Ｇが前記領域Ｅ内に位置する噴霧器である。
第７の発明によれば、貯蔵タンクが満杯状態と空の状態との双方において、当該噴霧器の左右方向の重量バランスをとることができ、これにより当該噴霧器の取り扱い性を一層高めることができる。
第８の発明は、第１〜第７の何れか一つの発明において、複数個のバッテリの取り付け方向が斜め下方に設定された噴霧器である。
第８の発明によれば、バッテリの取り付け、取り外し操作を楽に行うことができ、これにより当該噴霧器の取り扱い性を高めることができる。
第９の発明は、第１〜第８の何れか一つの発明において、複数のバッテリを並列に取り付け可能な噴霧器である。
第９の発明によれば、複数個のバッテリを限られたスペースに効率よく取り付けることができる。
第１０の発明は、第１〜第９の何れか一つの発明において、複数のバッテリが吐出ポンプとは壁部で区画されたバッテリ収容部内に取り付けられる噴霧器である。
第１０の発明によれば、バッテリの水濡れを未然に防止することができる。
第１１の発明は、第１０の発明において、バッテリを取り外し方向に変位させるための付勢手段を備えた噴霧器である。
第１１の発明によれば、吐出ポンプに対して周囲を壁部で区画されたバッテリ収容部からバッテリを取り出す際の便宜を図ることができる。
第１２の発明は、第１〜第１１の何れか一つの発明において、バッテリをその取り付け方向の前面と後面を片手で挟んで保持しつつ取り付け、取り外し可能な噴霧器である。
第１２の発明によれば、使用者はバッテリの前面と後面を挟み込んだ状態で当該バッテリを片手で把持して取り付け、取り外しすることができ、これにより当該バッテリの取り扱い性を高めることができる。
【図面の簡単な説明】
【０００６】
【図１】本発明の第１実施形態に係る噴霧器の全体斜視図である。本図は、噴霧器を左斜め後方から見た状態を示している。また、本図では、ポンプハウジングの内部が透視された状態で示されている。
【図２】本発明の第１実施形態に係る噴霧器の後面図である。本図では、ポンプハウジングが縦断面で示されてその内部構造が示されている。
【図３】本発明の第１実施形態に係る噴霧器の左側面図である。本図は、ポンプハウジングが縦断面で示されてその内部構造が示されている。
【図４】本発明の第１実施形態に係る噴霧器におけるバッテリ収容部の横断面図である。
【図５】バッテリ単体の斜視図である。
【図６】バッテリ単体を図５中矢印(VI)方向から見た平面図である。
【図７】図６中(VII)-(VII)線断面矢視図であって、バッテリ単体の縦断面図である。
【図８】バッテリ単体を図５中矢印(VIII)方向から見た後面図である。
【図９】２個のバッテリをそれぞれバッテリ取り付け部から取り外した状態を図２中矢印(IX)方向から見た図である。
【図１０】本発明の第２実施形態に係る噴霧器の左側面図である。本図では、貯留タンクの下部が破断されて、バッテリ収容部が縦断面で示されている。
【図１１】本発明の第２実施形態に係る噴霧器の後面図である。本図は、ポンプハウジングが縦断面で示されてその内部構造が示されている。
【図１２】本発明の第３実施形態に係る噴霧器の左側面図である。本図では、貯留タンクの下部が一部破断されてバッテリ収容部が縦断面で示されている。
【図１３】本発明の第３実施形態に係る噴霧器の前面図である。
【図１４】本発明の第４実施形態に係る噴霧器の左側面図であって、バッテリ収容部の左側面図である。本図では、ポンプハウジングの一部が破断されてバッテリ収容部が縦断面で示されている。
【図１５】本発明の第４実施形態に係る噴霧器の後面図であって、バッテリ収容部の左側面図である。本図では、ポンプハウジングが縦断面で示されて、その内部構造が示されている。
【図１６】本発明の第５実施形態に係る噴霧器の左側面図であって、バッテリ収容部の左側面図である。本図では、ポンプハウジングの一部が破断されてその内部が示されている。
【図１７】本発明の第５実施形態に係る噴霧器の後面図であって、バッテリ収容部の後面図である。本図では、ポンプハウジングが縦断面で示されてその内部が示されている。
【図１８】本発明の第６実施形態に係る噴霧器の左側面図であって、バッテリ収容部の左側面図である。本図では、ポンプハウジングが縦断面で示されてその内部が示されている。
【図１９】本発明の第６実施形態に係る噴霧器の後面図であって、バッテリ収容部の後面図である。
【図２０】本発明の第７実施形態に係る噴霧器の左側面図であって、バッテリ収容部の左側面図である。本図では、ポンプハウジングの一部が破断されてその内部が示されている。
【図２１】本発明の第７実施形態に係る噴霧器の後面図であって、バッテリ収容部の後面図である。本図では、ポンプハウジングが縦断面で示されてその内部が示されている。
【図２２】本発明に係る噴霧器の後面図であって、バッテリコントローラの配置に関して２箇所の配置状態を示す図である。
【図２３】本発明に係る噴霧器の左側面図であって、バッテリの残量表示部の配置に関して２箇所の配置状態を示す図である。
【発明を実施するための形態】
【０００７】
次に、本発明の実施形態を図１〜図２３に基づいて説明する。以下説明する第１〜第７実施形態では、何れも充電式のバッテリを電源とする背負い式の電動噴霧器を例示する。図１〜図４は、第１実施形態の噴霧器１を示している。この噴霧器１は、各種の薬剤や洗浄水を貯蔵するための貯蔵タンク１０と、貯蔵タンク１０内の噴霧液を吐出するピストン式の吐出ポンプ２０と、吐出ポンプ２０から吐出された噴霧液を噴射する噴霧ノズル１５を備えている。以下説明する各実施形態の噴霧器１は、主として吐出ポンプ２０を駆動するための電源として充電式のバッテリ３０，３０を２個用いる点に大きな特徴を有しており、噴霧器としての基本的構成等については公知の技術と同様で足り、各実施形態において特に変更を要しないことから同位の符号を用いてその詳細な説明は省略する。
貯蔵タンク１０は耐薬品性を有する樹脂製のタンクで、その上部には噴霧液を投入するための投入口が設けられている。この投入口は蓋１１で閉じられている。貯蔵タンク１０の右側下部には、投入した噴霧液を全て排出するための排液口１２が設けられている。排液口１２のキャップ１２ａを取り外すことにより、貯蔵タンク１０内に投入した薬剤あるいは洗浄水等の噴霧液を全て排出して空にすることができる。
貯蔵タンク１０の前側には、肩掛けベルトを取り付けるためのベルト掛け部１３，１３が左右一対設けられている。作業者は、貯蔵タンク１０の前面を背中に当接させ、両肩に肩掛けベルトを掛けることにより、当該噴霧器１を背負うことができる。
貯蔵タンク１０の下面に、前後左右を壁面で囲うポンプハウジング２４が結合されている。ポンプハウジング２４の内部に吐出ポンプ２０が収容されている。吐出ポンプ２０は、前後左右をポンプハウジング２４で囲われた状態に収容されている。
図２に示すように吐出ポンプ２０は、直流電源式のポンプモータ（ＤＣモータ）２１と、ポンプモータ２１の回転出力を減速するためのギヤ列を収容した減速ギヤ部２２と、減速ギヤ２２から出力された回転動力をピストンの往復運動に変換するピストン部２３を備えている。ピストンの往復動により噴霧液が噴霧ノズル１５側に吐出される。
ポンプハウジング２４の左側部には、操作パネル２５が配置されている。この操作パネル２５には、吐出ポンプ２０への給電をオンオフする電源スイッチ２５ａ、吐出ポンプ２０の吐出力を調整するための吐出力調整ダイヤル２５ｂ、吐出ポンプ２０の自動運転モードの有効無効を切り換えるモード切り換えスイッチ２５ｃ、噴霧作業後に貯蔵タンク１０内に洗浄水を循環させて洗浄するために吐出ポンプ２０を一定時間作動させるタイマー機能を内蔵したメンテナンススイッチ２５ｄが配置されている。
【０００８】
吐出ポンプ２０のポンプモータ２１は、２個のバッテリ３０，３０を電源として動作する。各実施形態では、１８Ｖ出力のリチウムイオンバッテリ（１８Ｖバッテリ）を２個直列に接続して合計電圧３６Ｖを出力する電源が構成されている。従って、ポンプモータ２１には定格３６Ｖ仕様のものが用いられている。各バッテリは、当該噴霧器１から取り外して、別途用意した充電器で充電することにより繰り返し使用することができる。また、２個のバッテリ３０，３０は、何れも電動ねじ締め機や電動切断工具等の他の電動工具の電源としても利用できるものが用いられている。従って、使用者はこれらの電動工具の電源として既に所有している複数個のバッテリをそのまま当該噴霧器１の電源として流用する（使い回す）ことができる。
２個のバッテリ３０，３０は、ポンプハウジング２４の下部に設けたバッテリ収容部３１に収容されている。バッテリ収容部３１は、ポンプハウジング２４の下面側に設けられている。バッテリ収容部３１は、その前後左右をそれぞれ前壁部３１ａ、後壁部３１ｂ、左壁部３１ｃ、右壁部３１ｄで区画されて外部から遮蔽されている。また、バッテリ収容部３１の上部は天板部３１ｅによりポンプハウジング２４の内部（吐出ポンプ２０）から区画されている。また、バッテリ収容部３１の下部は底板部３１ｆにより外部から区画されている。左壁部３１ｃには、大型の開閉扉３２が設けられている。この開閉扉３２は、その上部が支軸３２ｂを介して上下に回動可能に支持されている。開閉扉３２の下部には、開閉時に使用者が指先を差し入れる取っ手部３２ａが設けられている。この開閉扉３２を上方へ開放することにより、バッテリ収容部３１内のバッテリ３０，３０を取り外すことができ、逆に取り付けることができる。
バッテリ収容部３１の上部であって天板部３１ｅに沿ってバッテリ取り付けベース３３が設けられている。このバッテリ取り付けベース３３の下面に１８Ｖバッテリ取り付け用のバッテリ取り付け部３４，３４が前後方向に２箇所横並び（並列）状態で配置されている。両バッテリ取り付け部３４，３４のそれぞれに１つの１８Ｖバッテリ３０が取り付けられる。
２個のバッテリ３０，３０は、取り付けられた状態で、その側部相互間に１５ミリメートル程度の間隔があくように設定されている。２個のバッテリ３０，３０間に、指先を進入可能な程度の約１５ミリメートルの隙間があくように取り付けられることから、使用者は、当該一方のバッテリ３０の取り付け、取り外し時に他方のバッテリ３０が邪魔になることなく左右側部間を指先で挟んで保持することができ、これにより取り付け、取り外し時の操作性を高めることができる。
【０００９】
図５〜図８に示すようにバッテリ３０は、概ね直方体形状のバッテリケース３０ｇ内に１０本のセル３０ｈ〜３０ｈを収容したバッテリパックで、その上面には、左右一対のレール受け部３０ａ，３０ａが設けられている。両レール受け部３０ａ，３０ａ間には、正負の端子受け部３０ｂ，３０ｃが配置されている。正負の端子受け部３０ｂ，３０ｃ間には、充電器で充電する際に当該充電器との間で制御信号を送受信するためのコネクタ部３０ｄを備えている。また、バッテリ３０の上面後部には、ロック爪部３０ｅが設けられている。このロック爪部３０ｅは圧縮ばね３０ｉにより上方へ突き出す方向にばね付勢されている。このロック爪部３０ｅは、後面に設けたアンロックボタン３０ｆを指先で押し下げ操作することによりばね付勢力に抗して下方のアンロック位置に移動させることができる。
図９に示すように両バッテリ取り付け部３４，３４は、相互に同様の構成を備えている。このバッテリ取り付け部３４には、左右一対のレール部３４ａ，３４ａが設けられている。両レール部３４ａ，３４ａ間には、正負の接続端子３４ｂ，３４ｃが配置されている。両バッテリ取り付け部３４，３４の図示上部には、それぞれバッテリ３０のロック爪３０ｆが嵌り込むロック係合部（係合凹部）３４ｅが設けられている。また、両バッテリ取り付け部３４，３４の図示下部には、それぞれ取り付けたバッテリ３０を取り外し方向に付勢するための付勢部材３４ｄが設けられている。本実施形態では、付勢部材３４ｄとしてリーフスプリング（板ばね）が用いられている。バッテリ３０を取り外す際にアンロックボタン３０ｆを押し下げ操作すると、当該バッテリ３０がこの付勢部材３４ｄの付勢力により取り出し方向に変位（ポップアップ）される。このため、使用者は狭いスペースであってもバッテリを確実に把持して楽に取り外すことができる。
図９に示すようにバッテリ取り付け部３４に対してバッテリ３０を図示下方へスライド（平行移動）させつつそのレール受け部３０ａ，３０ａをレール部３４ａ，３４ａに係合させることにより当該バッテリ３０をバッテリ取り付け部３４に対して機械的に結合することができる。バッテリ３０がバッテリ取り付け部３４に機械的に結合されると、同時にバッテリ取り付け部３４側の接続端子３４ｂ，３４ｃがバッテリ３０側の端子受け部３０ｂ，３０ｃに進入して電気的に接続される。また、バッテリ３０がバッテリ取り付け部３４に対して機械的に結合されると、ロック爪部３０ｅがロック係合部３４ｅ内に弾性的に嵌り込んで当該バッテリ３０がスライド方向移動不能に固定された取り付け状態にロックされる。
【００１０】
取り付けたバッテリ３０をバッテリ取り付け部３４から取り外す際には、アンロックボタン３０ｆを押し下げ操作すれば取り出し方向にポップアップされることからそのまま把持して図９において上方へ引き抜けばよい。これによりレール受け部３０ａ，３０ａがレール部３４ａ，３４ａから外れ、接続端子３４ｂ，３４ｃが端子受け部３０ｂ，３０ｃから離脱してバッテリ３０がバッテリ取り付け部３４から取り外される。
前記したように第１実施形態の場合は、バッテリ収納部３１の左側部に設けた開閉扉３２を開放して、２個のバッテリ３０，３０をバッテリ取り付け部３４，３４に取り付けることができ、逆に取り外すことができる。図２に示すようにバッテリ取り付け部３４，３４は、バッテリ収容部３１の内方（平面的に見て中央）に向かって下る方向に沿って配置されている。このため、２個のバッテリ３０，３０は、その上面を上側にして図２中白抜き矢印で示すように斜め下方へ向けて押し込むようにしてスライドさせることによりバッテリ取り付け部３４，３４に取り付けられ、逆に斜め上方（白抜き矢印とは逆方向）へ引き出すようにしてスライドさせることによりバッテリ取り付け部３４，３４から取り外すことができる。このように取り付け、取り外し方向を上下に傾斜させた方向とすることにより、使用者はバッテリ３０，３０のバッテリ取り付け部３４，３４に対する取り付け、取り外し操作を楽に行うことができる。
バッテリ３０のバッテリ取り付け部３４に対する取り付け、取り外しは、図１及び図２に示すように当該バッテリ３０の取り付け方向後面（アンロックボタン３０ｆ側）に親指をあてがい、前面にその他の指先をあてがって片手Ｈで下から受ける状態に保持して行うことができる。これにより２個のバッテリ３０，３０を迅速かつ楽に取り付け、取り外すことができる。
２個のバッテリ３０，３０をバッテリ収容部３１内に取り付けた状態では、当該２個のバッテリ３０，３０は比較的重量物である吐出ポンプ２０の主としてポンプモータ２１の直下に配置されている。
【００１１】
また、図２に示すように２個のバッテリ３０，３０をバッテリ収容部３１内に取り付けた状態における当該噴霧器１の重心Ｇが、左右幅Ｗ方向について一定の領域Ｅ内に位置するようにバッテリ取り付け部３４，３４の左右幅Ｗ方向の位置が設定されている。この一定の領域Ｅは、当該噴霧器１の左右幅Ｗ方向中心の基準線Ｊを中心にして左右幅Ｗ方向それぞれ２０パーセント（０．２Ｗ）の領域に跨る範囲に設定されている。しかも、貯蔵タンク１０は基準線Ｊに対して左右対称形状を有していることから貯蔵した噴霧液の量に関係なく（満杯状態と空の状態の双方において）この重心Ｇの左右幅Ｗ方向の位置は領域Ｅ内に位置することとなる。これにより、当該噴霧器１を背中に背負った使用者は、貯蔵タンク１０内の噴霧液の量に関係なく常時左右幅Ｗ方向の重量バランスをとった状態で（左右一方に傾くことなく）背負うことができ、この点で当該噴霧器１の取り扱い性及び操作性が確保されている。
このように当該噴霧器１の幅方向について重心Ｇを基準線Ｊ上に位置させることが左右の重量バランスの観点から最も望ましいのであるが、現実には基準線Ｊに対して重心Ｇが左方又は右方にずれる場合があり、この場合であっても基準線Ｊから左方又は右方にそれぞれ幅Ｗの２０パーセントの範囲内に位置させることにより、実質的に左右の良好な重量バランスを確保することができる。
２個のバッテリ３０，３０の合計重量と、吐出ポンプ２０の重量と比較して、より重い方を下側に配置し、また使用者の背中側に配置することにより、使用者はより安定した姿勢で楽に背負うことができ、この点で当該噴霧器１の取り扱い性を一層高めることができる。この観点から、第１実施形態では、より重い２個のバッテリ３０，３０が吐出ポンプ２０に対して下方に取り付けられ、かつ前側（使用者の背中側）に配置された構成となっている。
また、前後に横並び状態に取り付けられた２個のバッテリ３０，３０間には指先を進入できる程度の約１５ミリメートルの隙間があくよう当該両バッテリ３０，３０の取り付け位置が設定されていることから、使用者はバッテリ３０の左右側部を指先で挟んで保持しつつ当該バッテリ３０を楽に取り付け、取り外しすることができる。なお、バッテリケースの容積が２００ｃｍ3以上の大形のバッテリの場合には、上記の間隔を１５ミリメートよりも小さくしてより接近した状態で複数個のバッテリを取り付ける構成とすることにより、当該複数個の大形のバッテリをバッテリ収容部内によりコンパクトに収容することができる。
以上のように構成した第１実施形態の噴霧器１によれば、定格電圧３６Ｖのポンプモータ２１を駆動源とする３６Ｖ仕様の噴霧器１を、１個の３６Ｖバッテリではなく２個の１８Ｖバッテリ３０，３０を取り付けて利用することができる。このことから、使用者は１８Ｖ仕様の電動工具用の電源として既に所有している１８Ｖバッテリ３０，３０を当該噴霧器１の電源として流用することができ、これにより当該噴霧器１の利便性及び取り扱い性を一層高めることができる。
【００１２】
図１０及び図１１には、第２実施形態の噴霧器２が示されている。第２実施形態の噴霧器２は、２個のバッテリ３０，３０の取り付け位置及び取り付け方向が第１実施形態とは異なっている。その他第１実施形態と同様の部材及び構成については同位の符号を用いてその説明を省略する。
第２実施形態では、２個のバッテリ３０，３０は、貯蔵タンク４０と吐出ポンプ２０（ポンプハウジング２４）と間に取り付けられている。第２実施形態の貯蔵タンク４０は、その後面側下部に段付き形状の凹みが設けられている。この凹みがバッテリ収容部４１となっている。また、第２実施形態の場合、ポンプハウジング２４の上部にバッテリ取り付けベース３３を介して２箇所のバッテリ取り付け部３４，３４が設けられている。
バッテリ３０を下向き（レール受け部３０ａ，３０ａ側を下方に向けて）に保持して、図１０中白抜き矢印で示すようにバッテリ収容部４１の後方から内方（前方）に向けてスライドさせることにより、各バッテリ取り付け部３４に対してバッテリ３０を取り付けることができる。取り外すには、第１実施形態と同様アンロックボタン３０ｆをアンロック側（第２実施形態の場合は上側）へ押し込み操作した状態でその後部を把持して後方（図１０中白抜き矢印とは逆方向）へスライドさせればよい。取り付けたバッテリ３０とバッテリ収容部４１の上面との間には、指先を進入させるに足る隙間４３が確保されている。
第２実施形態の場合、バッテリ３０のスライド方向は水平方向になっているが、第１実施形態よりも十分に高い部位に取り付ける構成であるので、バッテリ３０の取り付け、取り外しの際の良好な操作性が確保されている。
図１１に示すようにバッテリ取り付け部３４，３４は、基準線Ｊに対して左右対称に配置されている。従って、両バッテリ３０，３０は、基準線Ｊに対して左右対称に取り付けられる。このため、噴霧器２の左右幅Ｗ方向の重心Ｇの位置についてはバッテリ３０，３０を取り付けたことが影響を及ぼすことはなく、従って第１実施形態と同じく領域Ｅ内に位置している。
第２実施形態の場合、貯蔵タンク４０とポンプハウジング２４との間にバッテリ３０，３０が取り付けられており、第１実施形態におけるバッテリ収容部３１（前後左右の壁部３１ａ，３１ｂ，３１ｃ，３１ｄ及び底部３１ｆ）は省略されている。
以上のように構成した第２実施形態の噴霧器２によっても、第１実施形態と同様定格電圧３６Ｖのポンプモータ２１を駆動源とする３６Ｖ仕様の噴霧器２を、１個の３６Ｖバッテリではなく２個の１８Ｖバッテリ３０，３０を電源として取り付けて利用することができる。このことから、使用者は１８Ｖ仕様の電動工具用の電源として既に所有している１８Ｖバッテリ３０，３０を当該噴霧器１の電源として流用することができ、これにより当該噴霧器１の利便性及び取り扱い性を一層高めることができる。
【００１３】
図１２及び図１３には第３実施形態の噴霧器３が示されている。この第３実施形態も、２個のバッテリ３０，３０の取り付け位置及び取り付け方向について第１、第２実施形態とは異なっている。第１、第２実施形態と同じ部材及び構成については同位の符号を用いてその説明を省略する。
第３実施形態では、２個のバッテリ３０，３０が貯蔵タンク５０の前面側に取り付けられる構成となっている。貯蔵タンク５０の前面には、下方へ開放された凹み部が設けられており、この凹み部がバッテリ収容部５１とされている。このバッテリ収容部５１内に、バッテリ取り付けベース３３を介して２つのバッテリ取り付け部３４，３４が左右方向に横並び状態で配置されている。バッテリ３０，３０は、図１２，１３中白抜き矢印で示すようにそれぞれバッテリ収容部５１の上方から斜め下方に向けてスライドさせることにより取り付けることができる。図１２に示すようにバッテリ取り付け部３４，３４に取り付けられた両バッテリ３０，３０は、バッテリ収容部５１内にほぼ収容されて貯蔵タンク５０により上方、左右側方及び後方を囲われた状態となり、これにより噴霧作業中等におけるバッテリ３０，３０の水濡れが防止されてその保護が図られるようになっている。
両バッテリ３０，３０は、バッテリ収容部５１内に取り付けられると、その取り付け方向後部上面側の角部が貯蔵タンク５０の前面から僅かにはみ出す状態となる。第３実施形態では、この両はみ出し部５２，５２が当該噴霧器３を背負った使用者の左右の肩甲骨付近に当たるよう両バッテリ取り付け部３４，３４の位置が設定されている。第３実施形態の場合、当該噴霧器３を背負った際の使用者の背中に対するクッション性を確保するために貯蔵タンク５０の前面に背当てパッドを被せておくことが望ましい。バッテリ３０，３０のはみ出し部５２，５２により形成される背当てパッドの盛り上がり部を肩甲骨付近に当てることにより、使用者は当該噴霧器３を安定した姿勢で背負うことができる。
図１３に示すように両バッテリ３０，３０は、左右幅Ｗ方向中心を通る基準線Ｊに対して左右対称に取り付けられる。このため、第２実施形態と同様、両バッテリ３０，３０を取り付けた状態で当該噴霧器３の左右幅Ｗ方向について重心Ｇの位置が領域Ｅ内に位置している。これにより、当該噴霧器３の左右方向の重量バランスが良好に保たれて、使用者は当該噴霧器３をより一層安定した姿勢で背負うことができる。
第３実施形態によっても、使用者が既に所有している１８Ｖ仕様の２個のバッテリ３０，３０を電源として３６Ｖ仕様の噴霧器３を利用することができることから、当該噴霧器３の利便性及び取り扱い性を一層高めることができる。
第３実施形態では、バッテリ取り付け部３４，３４に対してバッテリ３０，３０を上方から斜め下方に向けて取り付ける構成であるので、その取り付け、取り外しの際の操作を迅速かつ楽に行うことができる。但し、これに代えて第２実施形態と同じく、貯蔵タンクの前面に設けたバッテリ収容部に対してバッテリ３０，３０を水平にスライドさせて取り付ける構成としても、第１実施形態よりも十分に高い位置であるので、当該バッテリ３０，３０を取り付け、取り外しする際の操作性が良好に確保される。
【００１４】
図１４及び図１５には第４実施形態の噴霧器４が示されている。第４実施形態では、第１実施形態と同様吐出ポンプ２０の下方にバッテリ収容部６０を備えている。但し、バッテリ３０，３０の取り付け、取り外し方向が第１実施形態の左側部側とは異なっている。第４実施形態では、後面側からバッテリ３０，３０を取り付け、取り外しする構成となっている。第１〜第３実施形態と同様の部材及び構成については同位の符号を用いてその説明を省略する。
ポンプハウジング２４の下方には、第１実施形態と同じく、前後左右の壁部３１ａ，３１ｂ，３１ｃ，３１ｄ及び天板部３１ｅと底部３１ｆで区画されたバッテリ収容部６０が設けられている。図１４に示すように第４実施形態の場合、後壁部３１ｂが開閉扉６１となっている。この開閉扉６１も第１実施形態における開閉扉３２と同じくその上部を中心にして上下に開閉可能に支持されている。この開閉扉６１の下部にも開閉時の便宜を図るための取っ手部６１ａが設けられている。
このように設けられたバッテリ収容部６０の天板部３１ｅの下面に、バッテリ取り付けベース３３を介して２つのバッテリ取り付け部３４，３４が左右に横並び状態で配置されている。２個のバッテリ３０，３０は、それぞれバッテリ取り付け部３４に対して、図１４中白抜き矢印で示すように後面側から前方斜め下方（バッテリ収容部６０の内方）へ向けてスライドさせることにより取り付けられる。
図１６及び図１７には、第５実施形態の噴霧器５が示されている。第５実施形態の噴霧器５は、吐出ポンプ２０の下方にバッテリ収容部７０を備えている。バッテリ収容部７０は、前後左右の壁部３１ａ，３１ｂ，３１，３１ｄ及び天板部３１ｅと底部３１ｆで外部及び吐出ポンプ２０側から区画されている。第５実施形態の場合、前壁部３１ａが上下に回動可能に支持されて開閉扉７１とされている。開閉扉７１の下部には取っ手部７１ａが設けられている。
このように設けられたバッテリ収容部７０の天板部３１ｅの下面に、第４実施形態と同じくバッテリ取り付けベース３３を介して２つバッテリ取り付け部３４，３４が左右に横並び状態で配置されている。２個のバッテリ３０，３０の取り付け方向は、図１６中白抜き矢印で示すように前面側から後方斜め下方に向けた方向になっている。
第３〜第５実施形態では、バッテリ３０，３０の取付け方向が斜め下方となっていることから、使用者はバッテリ収容部５１，６０，７０内を覗き込むような窮屈な姿勢をとることなく、楽な姿勢でバッテリ３０，３０の取り付け、取り外し操作を行うことができる。
【００１５】
図１８及び図１９には、第６実施形態の噴霧器６が示されている。この第６実施形態の噴霧器６も、吐出ポンプ２０の下方にバッテリ収容部８０を備えている。バッテリ収容部８０は、前後左右の壁部３１ａ，３１ｂ，３１ｃ，３１ｄと底部３１ｆにより外部から区画され、かつ天板部３１ｅにより吐出ポンプ２０側から区画されている。第６実施形態の場合、バッテリ収容部８０を区画する左右の壁部３１ｃ，３１ｄが何れも開閉扉８３，８４とされている。左側の開閉扉８３を開放することにより、左側のバッテリ３０を取り付け、取り外しすることができる。右側の開閉扉８４を開放することにより、右側のバッテリ３０を取り付け、取り外しすることができる。
第６実施形態の場合、天板部３１ｅの下面に２つのバッテリ取り付けベース８１，８２が一体に設けられている。両バッテリ取り付けベース８１，８２にそれぞれ１つのバッテリ取り付け部３４が設けられている。
図１９中白抜き矢印で示すように左側のバッテリ３０の取り付け方向は右斜め下方であり、右側のバッテリ３０の取り付け方向は左斜め下方に向けた方向（相互に接近する方向）となっている。
図２０及び図２１には、第７実施形態の噴霧器７が示されている。この第７実施形態の噴霧器７も吐出ポンプ２０の下方にバッテリ収容部９０を備えている。第７実施形態の場合、バッテリ収容部９０を区画する前側の壁部が開閉扉９３とされ、後側の壁部が開閉扉９４とされている。前後の開閉扉９３，９４は、それぞれ上部を支点にして上下に開閉可能に設けられている。
２箇所のバッテリ取り付け部９１，９２は、吐出ポンプ２０の前方と下方に配置されている。前側のバッテリ取り付け部９１はほぼ上下方向に沿って配置され、後側のバッテリ取り付け部９２は前側へ低くなる方向に傾斜した姿勢で配置されている。前側のバッテリ取り付け部９１の前面側に１８Ｖバッテリ３０が取り付けられている。図２０中白抜き矢印で示すように前側のバッテリ３０はバッテリ収容部９０の底部に向けたほぼ下方に向けてスライドさせることにより取り付けられ、後側のバッテリ３０は後部側の開口から前方斜め下方に向けてスライドさせることにより取り付けられる。
以上説明した第４〜第７実施形態によっても、１８Ｖ仕様の２個のバッテリ３０，３０を電気的に直列に接続して３６Ｖ仕様の噴霧器４〜７の電源とする構成であることから、専用の３６Ｖバッテリを新たに用意することなく、使用者が既に所有している１８Ｖバッテリを流用して噴霧器４〜７を利用することができ、これにより当該噴霧器４〜７の利便性及び取り扱い性を一層高めることができる。
【００１６】
以上説明した各実施形態にはさらに変更を加えて実施することができる。例えば、２個の１８Ｖバッテリ３０，３０を取り付ける構成を例示したが、定格電圧ｎＶのリチウムイオンバッテリをＮ個直列に取り付けて、出力電圧（ｎ×Ｎ）Ｖの電源とすることができ、これにより（ｎ×Ｎ）Ｖ仕様の噴霧器を利用することができる。
また、以上説明した各実施形態において、種々のバッテリ配置形態を示したが、バッテリの配置は上記例示した形態に限られるものではない。例えば、上記で示した複数のバッテリ配置箇所に、バッテリが１個ずつ配置される構成であってもよい。
さらに、上記例示した各実施形態では、同一容積、同一重量のバッテリ３０を複数用いた例を示したが、異なる容積、重量のバッテリを配置するものであってもよい。
特に、複数個のバッテリ３０〜３０を直列的に接続する場合には、少なくとも各バッテリ３０の電圧を監視するバッテリコントローラを備えることが望ましい。
バッテリコントローラは、ポンプモータ２１の駆動状態を制御するモータコントローラと一体（一つのマイコンで処理を行う）であってもよいし、別体（別々のマイコンで処理を行う）であってもよいが、占有空間の減少、配線の削減などの観点から、一体であることが望ましい。
バッテリコントローラＣ１の配置位置としては、配線の削減の観点からは、図２２に示すようにバッテリ取り付け部３４，３４の近傍が望ましい。
また、同様に配線の削減の観点からバッテリコントローラＣ２は、電源スイッチ２５ａ、圧力調整スイッチ２５ｂなどが配置される操作パネル２５の裏側に設置されることが望ましい。操作パネル２５は、製品の外装に配置されるため、バッテリコントローラＣ２は製品外装の内側面に沿って配置されることとなる。
さらに、発熱するバッテリコントローラを冷却するという観点からは、通常、ポンプを駆動するポンプモータのモータ軸に取付けられるファンによって発生する空気流に接するように配置されることが望ましい。すなわち、製品の外装を貫通する吸気孔から始まり、モータファンへ通じる空気通路、又は、モータファンから始まり、排気孔へ通じる空気通路、いずれかの通路の途中に配置されることが望ましい。この場合、より冷却されやすいモータの近傍に配置されることが望ましいことからも、上記操作パネル２５の裏側であってポンプモータ２１の後方に配置されることが望ましい。
また、複数個のバッテリ３０〜３０を直列的に接続する場合には、いずれか１つのバッテリ３０の故障、放電によって当該噴霧器１（又は、２〜７）を使用できなくなる。このため、どのバッテリ３０が放電などにより停止したかを知るために、各バッテリ３０の残容量の報知手段があることが望ましい。
例えば２個のバッテリ３０，３０の残量表示Ｚ１，Ｚ２の表示位置としては、使用者のバッテリ取り付け時、又は、操作パネル２５の近傍に、バッテリ３０の位置に対応して表示されることが望ましい。例えば、図２３には、左側部の開閉扉３２を開放した取り付け姿勢で２個のバッテリ３０，３０が前後（使用者から見て左右）に位置して見える場合には、各バッテリ３０の残量表示Ｚ１，Ｚ２もバッテリ取り付けベース３３の左側部に、あるいは操作パネル２５の上側に左右に並ぶように表示されることが望ましい。残量表示Ｚ１，Ｚ２は、表示ボタンＺｂの押し操作により点灯表示する。
また、使用者への報知の方法も、上記の残量表示Ｚ１，Ｚ２のように複数のバーで残容量を示すものに限られず、色、点滅速度、音などで行ってもよい。
なお、バッテリが所定値を下回る残容量となった場合（駆動停止状態の場合）に、どのバッテリが原因かを示す機能（ランプの点滅、赤色表示）を備えていてもよい。
また、上記した各実施形態では、複数個のバッテリを噴霧器本体に設けた複数箇所のバッテリ取り付け部に直接取り付ける構成を例示したが、１箇所のバッテリ取り付け部を有する噴霧器本体に、例えば２つのバッテリを取り付けたバッテリコンバータを取り付けて当該２つのバッテリを電源とする構成としてもよい。
【符号の説明】
【００１７】
１…噴霧器（第１実施形態）
２…噴霧器（第２実施形態）
３…噴霧器（第３実施形態）
４…噴霧器（第４実施形態）
５…噴霧器（第５実施形態）
６…噴霧器（第６実施形態）
７…噴霧器（第７実施形態）
１０…貯蔵タンク
１１…蓋
１２…排液口、１２ａ…キャップ
１３…ベルト掛け部
１５…噴霧ノズル
２０…吐出ポンプ
２１…ポンプモータ
２２…減速ギヤ部
２３…ピストン部
２４…ポンプハウジング
２５…操作パネル
３０…バッテリ（１８Ｖリチウムイオンバッテリ）
３０ａ…レール受け部、３０ｂ…端子受け部（正）、３０ｃ…端子受け部（負）
３０ｄ…コネクタ部、３０ｅ…ロック爪部、３０ｆ…アンロックボタン
３１…バッテリ収容部
３２…開閉扉
３３…バッテリ取り付けベース
３４…バッテリ取り付け部
３４ａ…レール部、３４ｂ…接続端子（正）、３４ｃ…接続端子（負）
３４ｄ…付勢部材、３４ｅ…ロック係合部
４０…貯蔵タンク（第２実施形態）
４１…バッテリ収容部（第２実施形態）
４３…隙間
５０…貯蔵タンク（第３実施形態）
５１…バッテリ収容部（第３実施形態）
５２…はみ出し部
６０…バッテリ収容部（第４実施形態）
６１…開閉扉（後壁部３１ｂ）、６１ａ…取っ手部
７０…バッテリ収容部（第５実施形態）
７１…開閉扉、７１ａ…取っ手部
８０…バッテリ収容部（第６実施形態）
８１…バッテリ取り付けベース（左側）
８２…バッテリ取り付けベース（右側）
８３，８４…開閉扉
９０…バッテリ収容部（第７実施形態）
９１…バッテリ取り付け部（前側）
９２…バッテリ取り付け部（後側）
９３…開閉扉（前側）
９４…開閉扉（後側）
Ｃ１，Ｃ２…バッテリコントローラ
Ｚ１，Ｚ２…バッテリの残量表示、Ｚｂ…表示ボタン
【図１】
2014147356.tif 000003
【図２】
2014147356.tif 000004
【図３】
2014147356.tif 000005
【図４】
2014147356.tif 000006
【図５】
2014147356.tif 000007
【図６】
2014147356.tif 000008
【図７】
2014147356.tif 000009
【図８】
2014147356.tif 000010
【図９】
2014147356.tif 000011
【図１０】
2014147356.tif 000012
【図１１】
2014147356.tif 000013
【図１２】
2014147356.tif 000014
【図１３】
2014147356.tif 000015
【図１４】
2014147356.tif 000016
【図１５】
2014147356.tif 000017
【図１６】
2014147356.tif 000018
【図１７】
2014147356.tif 000019
【図１８】
2014147356.tif 000020
【図１９】
2014147356.tif 000021
【図２０】
2014147356.tif 000022
【図２１】
2014147356.tif 000023
【図２２】
2014147356.tif 000024
【図２３】
2014147356.tif 000025